(57)【特許請求の範囲】
【請求項１】
吸引した空気と塵埃を旋回させるサイクロン旋回室と該サイクロン旋回室で分離された塵埃を捕集する集塵室とを有するサイクロン集塵器を掃除機本体に設けた電気掃除機において、
前記集塵室内に、前記掃除機本体の傾斜に伴って前記集塵室内を重力の作用により移動すると共に、その重量により塵埃を圧縮する塵埃圧縮体を備えたことを特徴とする電気掃除機。
【請求項２】
前記サイクロン集塵器は、中心軸を略水平方向に配置してなるサイクロン旋回室と、前記サイクロン旋回室の側周部から横方向に配置された集塵室とから形成されていることを特徴とする請求項１記載の電気掃除機。
【請求項３】
前記サイクロン集塵器は、中心軸を略水平方向に配置してなるサイクロン旋回室と該サイクロン旋回室の側周部から横方向に配置された集塵室とから形成され、前記塵埃圧縮体は、円柱形状を有し中心軸が略水平方向になるように前記集塵室内に設けられていることを特徴とする請求項１記載の電気掃除機。
【請求項４】
前記集塵室に前記塵埃圧縮体を導くガイド部を備えたことを特徴とする請求項１または３のいずれか１つに記載された電気掃除機。
【請求項５】
前記集塵室の底面を傾斜させたことを特徴とする請求項１から３のいずれか１つに記載の電気掃除機。
【請求項６】
前記集塵室に前記塵埃圧縮体が係止される係止溝を設けたことを特徴とする請求項１、３、４のうちいずれか１つに記載の電気掃除機。
【請求項７】
前記集塵室に塵埃を排出する塵埃廃棄口を備えたこと特徴とする請求項１から６のうちいずれか１つに記載された電気掃除機。
【請求項８】
前記塵埃圧縮体に、臭気を低減する手段を備えたことを特徴とする請求項１、３、４、６のうちいずれか１つに記載された電気掃除機。
【請求項９】
前記塵埃圧縮体に、菌の繁殖を抑制する手段を備えたことを特徴とする請求項１、３、４、６のうちいずれか１つに記載された電気掃除機。
【請求項１０】
前記塵埃圧縮体の表面に光触媒を塗布し、前記集塵室を紫外線透過材料にて構成したことを特徴とする請求項１、３、４、６のうちいずれか１つに記載された電気掃除機。
【請求項１１】
前記塵埃圧縮体に光を照射する発光手段を設けたことを特徴とする請求項１０記載の電気掃除機。
【発明の詳細な説明】
【０００１】
【発明の属する技術分野】
本発明は、サイクロン集塵器を備えた電気掃除機に関するものである。
【０００２】
【従来の技術】
従来から集塵室の塵埃を圧縮する手段を備えた電気掃除機は開発されており、図１１は例えば特開昭５４−５０１５３号公報に開示された従来の電気掃除機を示す一部切欠きした側面図、図１２はその本体ケースを縦置きにした状態を示す側面図である。
【０００３】
図において、１０１は横長の本体ケースであり、電動送風機１０２を内蔵する電動ケース１０３、電動ケース１０３側にフィルタユニット１０４を収納する集集塵ケース１０５から構成されている。１０６は集塵ケース１０５内に形成され塵埃が集積される集塵室である。１０７は電動ケース１０３の後端壁、１０８は後端壁１０７に形成された排気口であり、電動ケース１０３に連通している。１０９は集塵室１０６に連通する吸引口である。１１０、１１１は電動ケース１０３と集塵ケース１０５にそれぞれ形成されたガイド部、１１２はガイド部１１０、１１１に摺動可能に保持された摺動軸、１１３ａ、１１３ｂはガイド部１１０、１１１に設けられたばねであり、摺動軸１１２を後端壁１０７側に付勢させる。１１４は摺動軸１１２の後端壁１０７側先端部に設けられた受部であり、ガイド部１１１から本体ケース１０１の後方に摺動可能に突出している。１１５は集塵室１０６内に設けられ、摺動軸１１２の先端に固定された圧縮板であり、多数の小孔（図示せず）が形成されている。
【０００４】
掃除をする際、通常本体ケース１０１は図１１に示すように横長に床面上に置かれる。この状態において摺動軸１１２はばね１１３ａ、１１３ｂに付勢され、受部１１４は本体ケース１０１の後端から突出している。そして、本体ケース１０１を図１２に示すように縦置きにすると、受部１１４が床面Ｘに押されてガイド部１１１内へ摺動すると共に摺動軸１１２が集塵室１０６側に摺動し、圧縮板１１７が集塵室１０６内の塵埃を圧縮するように構成されている。
【０００５】
【発明が解決しようとする課題】
しかしながら、従来に示す電気掃除機の構成においては、集塵室１０６内に塵埃が捕集された状態で本体ケース１０１を縦置きにした場合、受部１１４が摺動して集塵ケース１０５内の塵埃を圧縮することができるが、本体ケース１０１を床面に横長に置いて掃除を行う際、受部１４は本体ケース１０１の後端壁１０７から突出しているため、掃除機本体を引き回す際に家具に衝突してしまうという課題があった。
【０００６】
また、受部１１４の突出部分が本体ケース１０１を縦置きにする際、邪魔になり、掃除機本体の収納作業が煩わしくなるという課題があった。
【０００７】
さらには、圧縮板１１５の移動可能な距離が塵埃の量に関わらず一定であるため、圧縮板１１５の移動距離が短かく構成されている場合は、塵埃の十分な圧縮効果が得られないという課題があった。また、逆に圧縮板１１５の移動距離が長く構成されている場合は、塵埃の圧縮効果は大きくなるが、受部１１４の本体ケース１０１の後端壁１０７からの突出量が大きくなり、使い勝手が悪くなるとともに、集塵室内１０６内の塵埃量が多い場合には、本体ケース１０１を縦置きにした時、受部１１４が本体ケース１０１の後端壁１０７から完全に収容されずに突出するため、縦置きにできなくなるという課題があった。
【０００８】
本発明は、上記のような課題を解決するためになされたもので、塵埃の集塵量に関わらず、集塵室内の塵埃を圧縮して集塵室の集塵容量を増加させる使い勝手のよい電気掃除機を得ること目的とするものである。
【０００９】
【課題を解決するための手段】
本発明にかかる電気掃除機は、吸引した空気と塵埃を旋回させるサイクロン旋回室と該サイクロン旋回室で分離された塵埃を捕集する集塵室とを有するサイクロン集塵器を掃除機本体に設けた電気掃除機において、
前記集塵室内に、前記掃除機本体の傾斜に伴って前記集塵室内を重力の作用により移動すると共に、その重量により塵埃を圧縮する塵埃圧縮体を備えたものである。
【００１０】
また、前記サイクロン集塵器は、中心軸を略水平方向に配置してなるサイクロン旋回室と、前記サイクロン旋回室の側周部から横方向に配置された集塵室とから形成されているものである。
【００１１】
また、サイクロン集塵器は、中心軸を略水平方向に配置してなるサイクロン旋回室と該サイクロン旋回室の側周部から横方向に配置された集塵室とから形成され、前記塵埃圧縮体は、円柱形状を有し中心軸が略水平方向になるように前記集塵室内に設けられているものである。
【００１２】
また、前記集塵室に前記塵埃圧縮体を導くガイド部を備えたものである。
【００１３】
また、前記集塵室の底面を傾斜させたものである。
【００１４】
また、前記集塵室に前記塵埃圧縮体が係止される係止溝を設けたものである。
【００１５】
また、前記集塵室に塵埃を排出する塵埃廃棄口を備えたものである。
【００１６】
また、前記塵埃圧縮体に、臭気を低減する手段を備えたものである。
【００１７】
また、前記塵埃圧縮体に、菌の繁殖を抑制する手段を備えたものである。
【００１８】
さらに、前記塵埃圧縮体の表面に光触媒を塗布し、前記集塵室を紫外線透過材料にて構成したものである。
【００１９】
さらにまた、前記塵埃圧縮体に光を照射する発光手段を設けたものである。
【００２０】
実施の形態１．
図１は本発明の実施の形態１に係る電気掃除機の掃除機本体を示す部分断面図、図２は掃除機本体に設けられたサイクロン集塵器の斜視図、図３から図６はサイクロン集塵器の集塵室内の状態を説明するための図であり、図３はサイクロン集塵器の水平状態の側面断面図、図４はサイクロン集塵器の傾斜状態の側面断面図、図５はサイクロン集塵器の縦置き状態の側面断面図、図６はサイクロン集塵器の塵埃廃棄時の側面断面図である。
【００２１】
図において、１は掃除機本体、２は掃除機本体１の前方に設けられた吸気接続管、３は吸気接続管２に接続された吸気ホース、４は掃除機本体１に内蔵され、空気を吸引する電動送風機、５は掃除機本体１後方に設けられ、電動送風機４からの排気を掃除機本体１の外部に排出する本体排気口、６は掃除機本体１上部に設けられ、電動送風機４によって吸引された空気と塵埃から塵埃のみを遠心分離させて捕集するサイクロン集塵器、７はサイクロン集塵器６からの排気を電動送風機４に導く排気接続管、８は排気接続管７に内装された微粒子捕集用のバックアップフィルタである。
【００２２】
サイクロン集塵器６は、図１、図２に示すように、略円筒形の中心軸を略水平方向に配置してなるサイクロン旋回室９と、サイクロン旋回室９の側周部から中心軸と直交する略水平方向に連結してなる横長形状の集塵室１０と、サイクロン旋回室９の側周面の略横部に開口され、集塵室１０に連通する塵埃排出口１１と、サイクロン旋回室９の側周面下方部に開口されたサイクロン吸入口１２と、サイクロン吸入口１２と連結し、サイクロン旋回室９外周にサイクロン旋回室９の接線方向と合致するように設けられた吸入ダクト１３と、サイクロン旋回室９の一端円盤面の略中央に開口して設けられたサイクロン排気口１４と、サイクロン旋回室９内部に設けられサイクロン排気口１４と接続し、側周部にメッシュ状のフィルタを配設した円筒形の内筒フィルタ１５と、この内筒フィルタ１５と略同径でサイクロン排気口１４を介してサイクロン旋回室９の外側に延びた排出ダクト１６とからなる。
【００２３】
また、１７は集塵室１０内両側面に設けられた一対の傾斜ガイドであり、図２に示すとおり、サイクロン旋回室９と反対側の集塵室１０後端部からサイクロン旋回室９に向って下方に傾斜している。１８は集塵室１０の後端部上方両側面に設けられた係止部であり、傾斜ガイド１７とは反対方向に傾斜している。１９は集塵室１０内に設けられた質量が１００ｇ程度の円柱形状の塵埃圧縮体であり、一対の傾斜ガイド１７に沿って移動可能に設けられている。また、塵埃圧縮体１９の中心軸方向の長さは、塵埃圧縮体１９が傾斜ガイド１７に沿って移動する際に、水平方向に回転して傾斜ガイド１７から外れることがない範囲で集塵室１０の両側面間の幅よりも若干短く構成されている。また、塵埃圧縮体１９の直径は集塵室１０の高さの約１／２に構成されている。また、傾斜ガイド１７と係止部１８間の最小間隔は塵埃圧縮体１９の直径以下になるように構成されている。
【００２４】
２０は集塵室１０下面に形成された係止溝であり、塵埃圧縮体１９は係止溝２０に係止され、使用者が掃除作業を行っている際に掃除機本体１に揺動が生じても塵埃圧縮体１９が集塵室１０内で転がることを防止する。２１は集塵室１０の後端部に回動可能に設けられた集塵室蓋、２２は集塵室蓋２１の一辺を枢支する枢支軸であり、枢支軸２２により集塵室蓋２１は回動する。２３は集塵室蓋２１に設けられたフック、２４は集塵室１０上面に形成され、フック２３と係合するフック溝、２５は旋回室９の外周部に設けられ、集塵室１０を着脱可能に嵌合する嵌合部である。なお、集塵室蓋２１と集塵室１０、および、嵌合部２５と集塵室１０の嵌合面にはシール材（図示せず）を挿入し、外部からの空気の流入がないように密閉させる。また、掃除機本体１上部にサイクロン集塵器６を設ける際、サイクロン集塵器６の係止溝２０を掃除機本体１上部に設けた溝１ａに嵌め込んで設置される。
【００２５】
次に動作について説明する。
電動送風機４が作動すると、排出ダクト１６から空気が吸引されるため、空気とともに塵埃が吸気ホース３、吸気接続管２、吸入ダクト１３を介し、サイクロン吸入口１２よりサイクロン旋回室９に吸入される。この時、吸入ダクト１３はサイロン旋回室９の接線方向と合致するように連結されているため、塵埃を含む空気はサイクロン旋回室９の内部で高速旋回する。
【００２６】
塵埃はサイクロン旋回室９内での旋回運動により、遠心力を受けて、サイクロン旋回室９内の側周内壁面に沿って高速旋回する。そして、サイクロン旋回室９側周面に押しつけられて旋回している塵埃は、常に外側に向かう遠心力を受けているため、サイクロン旋回室９の塵埃排出口１１に到達した瞬間に塵埃排出口１１から流入し、集塵室１０に捕集される。このとき、塵埃は塵埃排出口１１から遠い方、つまり掃除機本体１の後方に向かって流入して堆積する。塵埃排出口１１は集塵室１０に流入する空気流が捕集された塵埃を大きく攪拌しない程度の形状で形成されている。
【００２７】
また、空気はサイクロン旋回室９を高速旋回しながら、内筒フィルタ１５に吸引されて、サイクロン排気口１４、排出ダクト１６、排気接続管７、バックアップフィルタ８を介して電動送風機４に吸引される。サイクロン旋回室９で空気と分離されなかった微粒子は空気と共にサイクロン排気口１４から排出され、バックアップフィルタ８により捕集される。
【００２８】
集塵室１０では、捕集した塵埃に重力と塵埃排出口１１から流入する空気流のみが作用するため、質量の軽い塵埃は空気流によって集塵室１０内で攪拌されるが、塵埃が圧縮されることはほとんどない。
【００２９】
捕集した塵埃の種類が、特に細かい繊維成分が弱い結合力で絡み合って集合体となった綿ゴミを多く含む塵埃である場合、塵埃は質量の割に体積が多く、空気流により攪拌されやすいため、図３に示すように、掃除機本体１が水平状態にある場合、塵埃は集塵室１０の奥まで到達せずに堆積する。したがって、塵埃排出口１１から集塵室１０の奥への塵埃の飛散経路を塞ぐため、綿ゴミを含まない塵埃に比べ集塵容量が少なくなる。
【００３０】
そして、図３の状態から、使用者が掃除機本体１を縦置きにして収納する際には、掃除機本体１の前方を上方向に引き上げると、図４に示すように、集塵室１０は傾斜し、塵埃圧縮体１９が係止溝２０から外れ、傾斜ガイド１７に沿って集塵室蓋２１方向に向かって移動する。このとき、塵埃圧縮体１９がその重量により塵埃を集塵室１０の奥に向かって押圧する。綿ゴミを多く含む塵埃に押圧力が作用することにより、繊維成分間の隙間が狭くなり、塵埃の体積が減少する。
【００３１】
集塵室１０の後方への傾斜が大きくなるほど、塵埃圧縮体１９が塵埃に作用する押圧力が大きくなるため、塵埃圧縮体１９が塵埃を圧縮しながら集塵室１０の奥、つまり集塵室蓋２１側に移動し、塵埃の体積がさらに減少する。塵埃圧縮体１９は集塵室１０の奥に移動するほど集塵室１０の底面から離れ、圧縮された塵埃の中央付近を押圧する。このとき塵埃の上下の部分には押圧力が作用しなくなるが、綿ゴミは繊維成分が絡み付いているため、塵埃の一部分への押圧により、塵埃全体に力が作用し、塵埃全体が圧縮する。
【００３２】
そして、掃除機本体１を縦置きの状態にすると、図５に示すように、集塵室１０は略垂直になり、塵埃圧縮体１９の塵埃への押圧力は最大となる。この状態で、掃除機本体１が収納されると、次回の使用時までの期間に塵埃は圧縮され続けるため、塵埃の体積が減少する。
【００３３】
再び掃除を行うために、掃除機本体１を水平状態に戻すと、塵埃圧縮体１９は重力の作用により、傾斜ガイド１７の斜面上をサイクロン旋回室９側、掃除機本体１前方向に転がり、係止溝２０に係止される。したがって、塵埃の廃棄作業を行わなくとも集塵室１０内の集塵空間が確保されるため、連続して掃除作業を行うことが可能となる。
【００３４】
また、圧縮された塵埃を廃棄する際は、サイクロン集塵器６を掃除機本体１から取り外し、図６に示すように、集塵室蓋２１のフック２３をフック溝２４から外すことにより、集塵室蓋２１が枢支軸２２を支点に集塵室１０から開放される。このとき、塵埃圧縮体１９が塵埃を下方に押し出すため、簡単に塵埃を廃棄することができる。また、塵埃圧縮体１９は傾斜ガイド１７と係止部１８によって支持されるため、塵埃と共に落下することがない。
【００３５】
また、集塵室１０および塵埃圧縮体１９を洗浄する際は、集塵室１０をサイクロン旋回室９の嵌合部２５から取り外し、塵埃圧縮体１９を取り出してから洗浄することができる。
【００３６】
以上のように実施の形態１によれば、サイクロン集塵器６の集塵室１０内に掃除機本体１の傾斜に伴って集塵室１０内を移動する塵埃圧縮体１９を備えたことにより、綿ゴミを多く含む塵埃を捕集しても、掃除機本体１を傾斜させるとき、例えば掃除機本体１を縦置きにして収納するとき、塵埃圧縮体１９が塵埃を圧縮するので、集塵容量を確保することができる。したがって、塵埃の廃棄頻度を少なくすることができ、使い勝手がよい。
【００３７】
なお、実施の形態１において、集塵室１０内部に傾斜ガイド１７を設けた構成としているが、構成としてはこの限りではなく、集塵室１０の底面を傾斜させて塵埃圧縮体１９をガイドする構成にしても同様の効果が得られる。
【００３８】
実施の形態２．
図７は本発明の実施の形態２に係る電気掃除機の塵埃圧縮体を示す斜視図である。なお、実施の形態１と同一または相当する部分には同じ符号を付し、説明を省略する。図において、２６は一端が開口し、内部に空間を有する円筒状の塵埃圧縮体ケース、２７は塵埃圧縮体ケース２６の側周部に複数設けられた通気口であり、塵埃圧縮体ケース２６の長手方向に開口している。２８は塵埃圧縮体ケース２６の開口部分に設けられたケースねじ部、２９は塵埃圧縮体ケース２６の開口を覆う集塵圧縮体蓋、３０は集塵圧縮体蓋２９に設けられ、塵埃圧縮体ケース２６のケースねじ部２８に螺合する蓋ねじ部、３１は塵埃圧縮体ケース２６内に収容された顆粒状の脱臭材である。塵埃圧縮体１９は塵埃圧縮体ケース２６と塵埃圧縮体蓋２９が嵌着されて構成される。
【００３９】
掃除機本体１が縦置きの状態で収納されている場合は、上述した実施の形態１と同様に、図５に示すように塵埃圧縮体１９が集塵室１０内で塵埃を圧縮している。実施の形態２によれば、塵埃圧縮体１９内に脱臭材３１が収容されているため、塵埃から発生する臭気成分が通気口２７を介して脱臭材３１に吸収され、集塵室１０内の臭気を低減することができる。したがって、次に掃除が行われる際の排気の臭気を低減させることができる。また、塵埃中に存在する菌の繁殖を抑制することができる。
【００４０】
また、長期間使用するうちに、通気口２７を介して塵埃圧縮体１９内部に塵埃が侵入し、脱臭材３１に塵埃が付着して脱臭機能が低下した場合は、塵埃圧縮体ケース２６から塵埃圧縮体蓋２９を外して、脱臭材３１を交換することで脱臭機能を復活させることがである。また、脱臭材３１を洗浄可能な材料で構成すれば、脱臭材３１洗浄後に再び利用することが可能となる。
【００４１】
実施の形態３．
図８は本発明の実施の形態３に係る電気掃除機の塵埃圧縮体を示す断面図である。なお、実施の形態１と同一または相当する部分には同一符号を付し説明を省略する。図において、３２は塵埃圧縮体１９の表面に塗布された抗菌剤である。そして、掃除機本体１が縦置きの状態で収納されている場合、実施の形態１と同様、図５に示すように、塵埃圧縮体１９は集塵室１０内で塵埃を圧縮している。実施の形態３によれば、塵埃圧縮体１９の抗菌剤３２の殺菌作用により、塵埃の抗菌剤３２が接触する部分に存在する菌を殺菌することができ、菌の繁殖を抑制することができる。
【００４２】
なお、本実施の形態３において、抗菌剤３２を塵埃圧縮体１９の表面に塗布した構成としているが、塵埃圧縮体１９の製造時に塵埃圧縮体１９を構成する材料の中に抗菌剤を練り込んで製造しても同様の効果が得られる。
【００４３】
実施の形態４．
図９は本発明の実施の形態４に係る電気掃除機の塵埃圧縮体を示す断面図である。なお、実施の形態１と同一または相当する部分には同一符号を付し説明を省略する。図において、３３は塵埃圧縮体１９の表面に塗布された光触媒である。また、実施の形態４において、集塵室１０は紫外線透過材料で構成されているものとする。そして、掃除機本体１が縦置きの状態で収納されている場合、実施の形態１と同様に、図５に示すように、塵埃圧縮体１９が集塵室１０内で塵埃を圧縮している。実施の形態４によれば、集塵室１０は紫外線透過材料で構成されているため、塵埃圧縮体１９表面の光触媒３２が集塵室１０外部から透過してくる紫外線により活性化され、光触媒３２表面で電子と正孔の対が生成され、光触媒３２表面に活性酸素を発生する。この活性酸素の作用により塵埃から発生する臭気成分が分解され、集塵室１０内の臭気を低減させるとともに、塵埃の光触媒３２が接触する部分に存在する菌を殺菌する。したがって、集塵室１０内の臭気が低減し、菌の繁殖が抑制される。
【００４４】
実施の形態５．
図１０は本発明の実施の形態５に係る電気掃除機の掃除機本体を示す部分断面図である。実施の形態１及び４と同一または相当する部分には同一符号を付し説明を省略する。図において、３４は掃除機本体１上に設けられ、紫外線を含む光を発光する発光ＬＥＤ、３５は電気掃除機の駆動中に電力を蓄える蓄電池、３６は掃除機本体１の収納時に蓄電池の電力により、発光ＬＥＤ３４を発光させる制御回路である。実施の形態５において、塵埃圧縮体１９および集塵室１０は実施の形態４の場合と同様に、塵埃圧縮体１９の表面には光触媒３３が塗布され、集塵室１０は紫外線透過材料で構成されている。
【００４５】
次に動作について説明する。
掃除機本体１を縦置き状態で収納すると、実施の形態４と同様に、図５に示すように、塵埃圧縮体１９が集塵室１０内で塵埃を圧縮する。このとき使用者が制御回路３７の動作スイッチ（図示せず）をＯＮすることにより、蓄電池３６の電力によって一定時間発光ＬＥＤ３４が発光する。集塵室１０は紫外線透過材料で構成されているため、塵埃圧縮体１９表面の光触媒３２に発光ＬＥＤから紫外線が照射され、これにより光触媒３２が活性化され、光触媒３２表面で電子と正孔の対が生成され、光触媒３２表面に活性酸素を発生する。この活性酸素の作用により塵埃から発生する臭気成分が分解され、集塵室１０内の臭気が低減するとともに、塵埃の光触媒３２が接触する部分に存在する菌を殺菌する。したがって、集塵室１０内の臭気が低減し、菌の繁殖が抑制される。
【００４６】
なお、本実施の形態５において、制御回路３７の動作を使用者が行う構成としているが、掃除機本体１が縦置きになったことを検出するセンサを設け、自動的に制御回路３７が動作する構成としてもよい。
【００４７】
【発明の効果】
以上のように本発明によれば、吸引した空気と塵埃を旋回させるサイクロン旋回室と該サイクロン旋回室で分離された塵埃を捕集する集塵室とを有するサイクロン集塵器を掃除機本体に設け、集塵室内に、掃除機本体の傾斜に伴って集塵室内を重力の作用により移動すると共に、その重量により塵埃を圧縮する塵埃圧縮体を備えたので、掃除機本体を傾斜させた際に、塵埃圧縮体により集塵室内に吸引された塵埃を圧縮することができ、集塵容量を増加させることができる。また、集塵容量を増加させることで塵埃の廃棄頻度を少なくでき、使い勝手が向上する。
【００４８】
また、サイクロン集塵器は、中心軸を略水平方向に配置してなるサイクロン旋回室と該サイクロン旋回室の側周部から横方向に配置された集塵室とから形成され、塵埃圧縮体は、円柱形状を有し中心軸が略水平方向になるように集塵室内に設けられているので、掃除機本体を傾斜させた際に、集塵室が縦方向に傾斜して塵埃圧縮体により塵埃を圧縮することができ、集塵容量を増加させることができる。また、塵埃の廃棄頻度を少なくでき、使い勝手が向上する。
【００４９】
また、集塵室に塵埃圧縮体の移動を導くガイドを備えたので、掃除機本体を直角に立てた状態から、水平に戻した際に、塵埃圧縮体が元の位置に戻ることができ、塵埃の圧縮作業を連続して行うことができる。
【００５０】
また、集塵室の底面を傾斜させたので、塵埃圧縮体が移動しやすく、圧縮効率が向上する。
【００５１】
また、集塵室に塵埃圧縮体が係止される係止溝を設けたので、使用者が掃除作業を行っている際に掃除機本体に多少の揺動が生じても、塵埃圧縮体が集塵室内で転がることを防止することができる。
【００５２】
また、集塵室の後端部に塵埃を排出する塵埃廃棄口を備えたので、圧縮された塵埃を廃棄しやすいという効果がある。
【００５３】
また、塵埃圧縮体に、臭気を低減する手段を備えたので、塵埃から発生する臭気を低減させることができる。
【００５４】
また、塵埃圧縮体に、菌の繁殖を抑制する手段を備えたので、塵埃中に存在する菌を殺菌することができるため、集塵室内の菌の繁殖を抑えることができる。
【００５５】
さらに、塵埃圧縮体の表面に光触媒を塗布し、集塵室を紫外線透過材料にて構成したので、塵埃圧縮体が塵埃を圧縮している最中に、集塵室外部からの光により光触媒の脱臭および殺菌作用が得られるため、集塵室内の臭気が少なく、菌の繁殖を抑えることができる。
【００５６】
また、塵埃圧縮体に光を照射する発光手段を設けたので、光が入らない場所に収納した場合においても、集塵室内の臭気を防ぎ、菌の繁殖を抑えることができる。
【図面の簡単な説明】
【図１】  本発明の実施の形態１に係る電気掃除機の掃除機本体を示す部分断面図である。
【図２】  本発明の実施の形態１に係る電気掃除機のサイクロン集塵器を示す斜視図である。
【図３】  本発明の実施の形態１に係る電気掃除機のサイクロン集塵器の水平状態を示す側面断面図である。
【図４】  本発明の実施の形態１に係る電気掃除機のサイクロン集塵器の傾斜状態を示す側面断面図である。
【図５】  本発明の実施の形態１に係る電気掃除機のサイクロン集塵器の縦置き状態を示す側面断面図である。
【図６】  本発明の実施の形態１に係る電気掃除機のサイクロン集塵器の塵埃を廃棄する時の状態を示す側面断面図である。
【図７】  本発明の実施の形態２に係る電気掃除機の塵埃圧縮体を示す斜視図である。
【図８】  本発明の実施の形態３に係る電気掃除機の塵埃圧縮体を示す断面図である。
【図９】  本発明の実施の形態４に係る電気掃除機の塵埃圧縮体を示す断面図である。
【図１０】  本発明の実施の形態５に係る電気掃除機の掃除機本体を示す部分断面図である。
【図１１】  従来の電気掃除機を示す一部切欠きした側面図である。
【図１２】  従来の電気掃除機の本体ケースを縦置きにした状態を示す側面図である。
【符号の説明】
１  掃除機本体、２  吸気接続管、３  吸気ホース、４  電動送風機、
５  本体排気口、６  サイクロン集塵器、７  排気接続管、
８  バックアップフィルタ、９  サイクロン旋回室、１０  集塵室、
１１  塵埃排出口、１２  サイクロン吸入口、１３  吸入ダクト、
１４  サイクロン排気口、１５  内筒フィルタ、１６  排出ダクト、
１７  傾斜ガイド、１８  係止部、１９  塵埃圧縮体、２０  係止溝、
２１  集塵室蓋、２２  枢支軸、２３  フック、２４  フック溝、
２５  嵌合部、２６  塵埃圧縮体ケース、２７  通気口、
２８  ケースねじ部、２９  塵埃圧縮体蓋、３０  蓋ねじ部、３１  脱臭材、
３２  抗菌剤、３３  光触媒、３４  発光ＬＥＤ、３５  蓄電池、
３６  制御回路。
【図１】
0003899458.tif 000002
【図２】
0003899458.tif 000003
【図３】
0003899458.tif 000004
【図４】
0003899458.tif 000005
【図５】
0003899458.tif 000006
【図６】
0003899458.tif 000007
【図７】
0003899458.tif 000008
【図８】
0003899458.tif 000009
【図９】
0003899458.tif 000010
【図１０】
0003899458.tif 000011
【図１１】
0003899458.tif 000012
【図１２】
0003899458.tif 000013